【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
デジタル画像においてランドマークを検出し、かつランドマークに注釈を付けるための方法であって、該方法は、
（ａ）タグを付けられたランドマークの画像のセットを生成するために、複数のテキストに関連付けられたデジタル画像における１つ以上の画像に、ランドマークを説明するタグを自動的に割り当てることであって、該タグを付けられたランドマークの画像のセット内の画像は、該ランドマークを含むようにアルゴリズム的に決定される、ことと、
（ｂ）該タグを付けられたランドマークの画像のセットからの該ランドマークに対して出現モデルを記憶することと、
（ｃ）該出現モデルを用いて新しい画像において該ランドマークを検出することと
を含み、該ステージ（ａ）〜（ｃ）が、少なくとも１つのプロセッサによって行われる、方法。
【請求項２】
前記方法は、
（ｄ）前記ランドマークを説明する前記タグを用いて前記新しい画像に注釈を付けることをさらに含む、請求項１に記載の方法。
【請求項３】
ステージ（ａ）は、
（ｉ）  前記複数のテキストに関連付けられたデジタル画像からランドマークｎ−グラムのリストを生成することと、
（ｉｉ）  ｎ−グラムセットの各ランドマークｎ−グラムに対してｎ−グラム点数を計算することであって、該ｎ−グラムセットは、該ランドマークｎ−グラムのリストのサブセットである、ことと、
（ｉｉｉ）前記画像に対して前記ランドマークを説明する前記タグを割り当てることであって、該ランドマークを説明する該タグは、該ｎ−グラムセットにおける少なくとも１つのランドマークｎ−グラムに基づく、ことと
を含む、請求項１に記載の方法。
【請求項４】
ステージ（ａ）（ｉ）は、
前記複数のテキストに関連付けられたデジタル画像に電子的にアクセスすることと、
該複数のテキストに関連付けられたデジタル画像における画像に関連付けられたテキストから前記ランドマークｎ−グラムのうちの少なくとも１つを検索することと
を含む、請求項３に記載の方法。
【請求項５】
ステージ（ａ）（ｉ）は、
少なくとも最小確実性尺度を有する前記ランドマークｎ−グラムを選ぶことをさらに含む、請求項４に記載の方法。
【請求項６】
前記確実性尺度は、特有の著者の数に基づく、請求項５に記載の方法。
【請求項７】
ステージ（ａ）（ｉｉ）は、
前記複数のテキストに関連付けられたデジタル画像に相関加重を割り当てることであって、該相関加重は、該複数のテキストに関連付けられたデジタル画像における画像のメタデータの相関に基づき、該複数のテキストに関連付けられたデジタル画像は、テキストに関連付けられた画像のセットを含む、ことと、
該複数のテキストに関連付けられたデジタル画像からマッチング画像グラフを生成することと、
ランドマークｎ−グラムと、該複数のテキストに関連付けられたデジタル画像における画像との間のリンクを生成するために、前記ランドマークｎ−グラムを該複数のテキストに関連付けられたデジタル画像における画像にリンクさせることと
を含む、請求項３に記載の方法。
【請求項８】
ステージ（ａ）（ｉｉ）は、
前記マッチング画像グラフを用いて前記複数のテキストに関連付けられたデジタル画像の各画像に対して地理的確実性の点数を推定することをさらに含む、請求項７に記載の方法。
【請求項９】
前記ｎ−グラム点数は、前記マッチング画像グラフに基づく、請求項７に記載の方法。
【請求項１０】
前記ｎ−グラム点数は、前記マッチング画像グラフの内部エッジの強さと、該マッチング画像グラフの外部エッジの強さとの比率として計算され、内部エッジは、少なくとも１つの共通ランドマークｎ−グラムを有する画像の間に存在し、外部エッジは、少なくとも１つの共通ランドマークｎ−グラムを有しない画像の間に存在する、請求項９に記載の方法。
【請求項１１】
ステージ（ａ）（ｉｉ）は、
前記ｎ−グラムセットのランドマークｎ−グラムに対して地理的場所の分散を計算することであって、該分散は、前記マッチング画像グラフにおける画像のｎ−グラムセットの前記ランドマークｎ−グラムを有する画像の地理的場所に基づく、ことと、
該ｎ−グラムセットから、所定の閾値を超える地理的場所の分散を有する全てのランドマークｎ−グラムを除去することと
をさらに含む、請求項８に記載の方法。
【請求項１２】
ステージ（ａ）（ｉ）は、
前記ｎ−グラムセットにおいて２つ以上のランドマークｎ−グラムを統合することをさらに含む、請求項７に記載の方法。
【請求項１３】
前記統合することは、前記２つ以上のランドマークｎ−グラムの前記点数の類似と、リンクされたランドマークｎ−グラムにおいて該２つ以上のランドマークｎ−グラムを有する画像の重なりとのうちの少なくとも１つに基づく、請求項１２に記載の方法。
【請求項１４】
前記メタデータは、
著者と、
地理的場所と、
オリジンの時間と
のうちの少なくとも１つに関連する情報を含む、請求項７に記載の方法。
【請求項１５】
前記マッチンググラフの各リンクは、前記複数のテキストに関連付けられたデジタル画像の２つの画像の間のマッチング特徴説明子を表す、請求項７に記載の方法。
【請求項１６】
デジタル画像においてランドマークを自動的に検出し、かつランドマークに注釈を付けるためのシステムであって、該システムは、
メモリ媒体に格納されているテキストに関連付けられたデジタル画像の少なくとも１つのコレクションと、
該媒体に通信連結された少なくとも１つのプロセッサと
を含み、該少なくとも１つのプロセッサは、
タグを付けられたランドマークの画像のセットを生成するために、複数のテキストに関連付けられたデジタル画像における１つ以上の画像に、ランドマークを説明するタグを自動的に割り当てることであって、該タグを付けられたランドマークの画像のセット内の画像は、該ランドマークを含むようにアルゴリズム的に決定される、ことと、
該タグを付けられたランドマークの画像のセットからの該ランドマークに対して出現モデルを記憶することと、
該出現モデルを用いて新しい画像において該ランドマークを検出することと
を行うように構成されている、システム。
【請求項１７】
前記少なくとも１つのプロセッサは、
前記ランドマークを説明する前記タグを用いて前記新しい画像に注釈を付けるようにさらに構成されている、請求項１６に記載のシステム。
【請求項１８】
前記少なくとも１つのプロセッサは、
前記複数のテキストに関連付けられたデジタル画像からランドマークｎ−グラムのリストを生成することと、
ｎ−グラムセットの各ランドマークｎ−グラムに対してｎ−グラム点数を計算することであって、該ｎ−グラムセットは、該ランドマークｎ−グラムのリストのサブセットである、ことと、
前記画像に対して前記ランドマークを説明する前記タグを割り当てることであって、該ランドマークを説明する該タグは、該ｎ−グラムセットにおける少なくとも１つのランドマークｎ−グラムに基づく、ことと
を行うようにさらに構成されている、請求項１６に記載のシステム。
【請求項１９】
前記少なくとも１つのプロセッサは、
前記複数のテキストに関連付けられたデジタル画像に相関加重を割り当てることであって、該相関加重は、該複数のテキストに関連付けられたデジタル画像における画像のメタデータの相関に基づき、該複数のテキストに関連付けられたデジタル画像は、テキストに関連付けられた画像のセットを含む、ことと、
該複数のテキストに関連付けられたデジタル画像からマッチング画像グラフを生成することと、
ランドマークｎ−グラムと、該複数のテキストに関連付けられたデジタル画像における画像との間のリンクを生成するために、前記ランドマークｎ−グラムを該複数のテキストに関連付けられたデジタル画像における画像にリンクさせることと
を行うようにさらに構成されている、請求項１８に記載のシステム。
【請求項２０】
プロセッサが画像に名前を付けることを可能にするためのコンピュータプログラム論理を記録したコンピュータ読み取り可能な記憶媒体であって、プロセッサによって実行される場合、コンピュータプログラムは、
（ａ）タグを付けられたランドマークの画像のセットを生成するために、複数のテキストに関連付けられたデジタル画像における１つ以上の画像に、ランドマークを説明するタグを割り当てることであって、該タグを付けられたランドマークの画像のセット内の画像は、該ランドマークを含むようにアルゴリズム的に決定される、ことと、
（ｂ）該タグを付けられたランドマークの画像のセットからの該ランドマークに対して出現モデルを記憶することと、
（ｃ）該出現モデルを用いて新しい画像において該ランドマークを検出することと
を行うように該プロセッサに命令する、コンピュータ読み取り可能な記憶媒体。
【請求項２１】
前記コンピュータ読み取り可能な記憶媒体は、
（ｄ）前記ランドマークを説明する前記タグを用いて前記新しい画像に注釈を付けるようにさらに前記プロセッサに命令する、請求項２０に記載のコンピュータ読み取り可能な記憶媒体。
【請求項２２】
（ａ）は、
前記複数のテキストに関連付けられたデジタル画像からランドマークｎ−グラムのリストを生成することと、
ｎ−グラムセットの各ランドマークｎ−グラムに対してｎ−グラム点数を計算することであって、該ｎ−グラムセットは、該ランドマークｎ−グラムのリストのサブセットである、ことと、
前記画像に対して前記ランドマークを説明する前記タグを割り当てることであって、該ランドマークを説明する該タグは、該ｎ−グラムセットにおける少なくとも１つのランドマークｎ−グラムに基づく、ことと
をさらに含む、請求項２０に記載のコンピュータ読み取り可能な記憶媒体。
【請求項２３】
（ａ）は、
前記複数のテキストに関連付けられたデジタル画像に相関加重を割り当てることであって、該相関加重は、該複数のテキストに関連付けられたデジタル画像における画像のメタデータの相関に基づき、該複数のテキストに関連付けられたデジタル画像は、テキストに関連付けられた画像のセットを含む、ことと、
該複数のテキストに関連付けられたデジタル画像からマッチング画像グラフを生成することと、
ランドマークｎ−グラムと、該複数のテキストに関連付けられたデジタル画像における画像との間のリンクを生成するために、前記ランドマークｎ−グラムを該複数のテキストに関連付けられたデジタル画像における画像にリンクさせることと
をさらに含む、請求項２２に記載のコンピュータ読み取り可能な記憶媒体。
【手続補正２】
【補正対象書類名】明細書
【補正対象項目名】０００７
【補正方法】変更
【補正の内容】
【０００７】
本発明のさらなる特徴および利点も、本発明のさまざまな実施形態の構造および動作も、添付した図面を参照して以下に詳細に説明される。本発明は、本明細書において説明される具体的な実施形態に限定されないことが留意される。このような実施形態は、ただ例示的な目的のために本明細書において示される。追加の実施形態は、本明細書に含まれる教示に基づき、当業者にとって明白である。
本願明細書は、例えば、以下の項目も提供する。
（項目１）
デジタル画像においてランドマークを検出し、かつ注釈を付けるための方法であって、
該方法は、
（ａ）タグを付けられたランドマークの画像のセットを生成するために、複数のテキストに関連付けられたデジタル画像における１つ以上の画像に、ランドマークを説明するタグを自動的に割り当てることであって、該タグを付けられたランドマークの画像のセット内の画像は、該ランドマークを含むようにアルゴリズム的に決定される、ことと、
（ｂ）該タグを付けられたランドマークの画像のセットからの該ランドマークに対して出現モデルを記憶することと、
（ｃ）該出現モデルを用いて新しい画像において該ランドマークを検出することと
を含み、該ステージ（ａ）〜（ｃ）が、少なくとも１つのプロセッサによって行われる、方法。
（項目２）
前記方法は、
（ｄ）前記ランドマークを説明する前記タグを用いて前記新しい画像に注釈を付けることをさらに含む、項目１に記載の方法。
（項目３）
ステージ（ａ）は、
（ｉ）  前記複数のテキストに関連付けられたデジタル画像からランドマークｎ−グラムのリストを生成することと、
（ｉｉ）  ｎ−グラムセットの各ランドマークｎ−グラムに対してｎ−グラム点数を計算することであって、該ｎ−グラムセットは、該ランドマークｎ−グラムのリストのサブセットである、ことと、
（ｉｉｉ）前記画像に対して前記ランドマークを説明する前記タグを割り当てることであって、該ランドマークを説明する該タグは、該ｎ−グラムセットにおける少なくとも１つのランドマークｎ−グラムに基づく、ことと
を含む、項目１に記載の方法。
（項目４）
ステージ（ａ）（ｉ）は、
前記複数のテキストに関連付けられたデジタル画像に電子的にアクセスすることと、
該複数のテキストに関連付けられたデジタル画像において画像に関連付けられたテキストから前記ランドマークｎ−グラムのうちの少なくとも１つを検索することと
を含む、項目３に記載の方法。
（項目５）
ステージ（ａ）（ｉ）は、
少なくとも最小確実性尺度を有する前記ランドマークｎ−グラムを選ぶことをさらに含む、項目４に記載の方法。
（項目６）
前記確実性尺度は、特有の著者の数に基づく、項目５に記載の方法。
（項目７）
ステージ（ａ）（ｉｉ）は、
前記複数のテキストに関連付けられたデジタル画像に相関加重を割り当てることであって、該相関加重は、該複数のテキストに関連付けられたデジタル画像における画像のメタデータの相関に基づき、該複数のテキストに関連付けられたデジタル画像は、前記テキストに関連付けられた画像のセットを含む、ことと、
該複数のテキストに関連付けられたデジタル画像からマッチング画像グラフを生成することと、
ランドマークｎ−グラムと、該複数のテキストに関連付けられたデジタル画像の画像との間のリンクを生成するために、前記ランドマークｎ−グラムを該複数のテキストに関連付けられたデジタル画像の画像にリンクさせることと
を含む、項目３に記載の方法。
（項目８）
ステージ（ａ）（ｉｉ）は、
前記マッチング画像グラフを用いて前記複数のテキストに関連付けられたデジタル画像の各画像に対して地理的確実性の点数を推定することをさらに含む、項目７に記載の方法。
（項目９）
前記ｎ−グラム点数は、前記マッチング画像グラフに基づく、項目７に記載の方法。
（項目１０）
前記ｎ−グラム点数は、前記マッチング画像グラフの内部エッジの強さと、該マッチング画像グラフの外部エッジの強さとの比率として計算され、内部エッジは、少なくとも１つの共通ランドマークｎ−グラムを有する画像の間に存在し、外部エッジは、少なくとも１つの共通ランドマークｎ−グラムを有しない画像の間に存在する、項目９に記載の方法。
（項目１１）
ステージ（ａ）（ｉｉ）は、
前記ｎ−グラムセットのランドマークｎ−グラムに対して地理的場所の分散を計算することであって、該分散は、前記マッチング画像グラフにおける画像のｎ−グラムセットの前記ランドマークｎ−グラムを有する画像の地理的場所に基づく、ことと、
該ｎ−グラムセットから、所定の閾値を超える地理的場所の分散を有する任意のランドマークｎ−グラムを除去することと
をさらに含む、項目８に記載の方法。
（項目１２）
ステージ（ａ）（ｉ）は、
前記ｎ−グラムセットにおいて２つ以上のランドマークｎ−グラムを統合することをさらに含む、項目７に記載の方法。
（項目１３）
前記統合することは、前記２つ以上のランドマークｎ−グラムの前記点数の類似と、リンクされたランドマークｎ−グラムにおいて該２つ以上のランドマークｎ−グラムを有する画像の重なりとのうちの少なくとも１つに基づく、項目１２に記載の方法。
（項目１４）
前記メタデータは、
著者と、
地理的場所と、
オリジンの時間と
のうちの少なくとも１つに関連する情報を含む、項目７に記載の方法。
（項目１５）
前記マッチンググラフの各リンクは、前記複数のテキストに関連付けられたデジタル画像の２つの画像の間のマッチング特徴説明子を表す、項目７に記載の方法。
（項目１６）
デジタル画像においてランドマークを自動的に検出し、かつ注釈を付けるためのシステムであって、該システムは、
メモリ媒体に格納されているテキストに関連付けられたデジタル画像の少なくとも１つのコレクションと、
該媒体に通信連結された少なくとも１つのプロセッサと
を含み、該少なくとも１つのプロセッサは、
タグを付けられたランドマークの画像のセットを生成するために、複数のテキストに関連付けられたデジタル画像における１つ以上の画像に、ランドマークを説明するタグを自動的に割り当てることであって、該タグを付けられたランドマークの画像のセット内の画像は、該ランドマークを含むようにアルゴリズム的に決定される、ことと、
該タグを付けられたランドマークの画像のセットからの該ランドマークに対して出現モデルを記憶することと、
該出現モデルを用いて新しい画像において該ランドマークを検出することと
を行うように構成される、システム。
（項目１７）
前記少なくとも１つのプロセッサは、
前記ランドマークを説明する前記タグを用いて前記新しい画像に注釈を付けるようにさらに構成される、項目１６に記載のシステム。
（項目１８）
前記少なくとも１つのプロセッサは、
前記複数のテキストに関連付けられたデジタル画像からランドマークｎ−グラムのリストを生成することと、
ｎ−グラムセットの各ランドマークｎ−グラムに対してｎ−グラム点数を計算することであって、該ｎ−グラムセットは、該ランドマークｎ−グラムのリストのサブセットである、ことと、
前記画像に対して前記ランドマークを説明する前記タグを割り当てることであって、該ランドマークを説明する該タグは、該ｎ−グラムセットにおける少なくとも１つのランドマークｎ−グラムに基づく、ことと
を行うようにさらに構成される、項目１６に記載のシステム。
（項目１９）
前記少なくとも１つのプロセッサは、
前記複数のテキストに関連付けられたデジタル画像に相関加重を割り当てることであって、該相関加重は、該複数のテキストに関連付けられたデジタル画像における画像のメタデータの相関に基づき、該複数のテキストに関連付けられたデジタル画像は、前記テキストに関連付けられた画像のセットを含む、ことと、
該複数のテキストに関連付けられたデジタル画像からマッチング画像グラフを生成することと、
ランドマークｎ−グラムと、該複数のテキストに関連付けられたデジタル画像の画像との間のリンクを生成するために、前記ランドマークｎ−グラムを該複数のテキストに関連付けられたデジタル画像の画像にリンクさせることと
を行うようにさらに構成される、項目１８に記載のシステム。
（項目２０）
コンピュータ読み取り可能な媒体を含むコンピュータプログラム製品であって、該コンピュータ読み取り可能な媒体は、プロセッサが画像に名前を付けることを可能にするために、該媒体に記録されたコンピュータプログラム論理を有し、該コンピュータプログラム論理は、
タグを付けられたランドマークの画像のセットを生成するために、該プロセッサが、複数のテキストに関連付けられたデジタル画像における１つ以上の画像に、ランドマークを説明するタグを割り当てることを可能にするように構成される第１のモジュールであって、該タグを付けられたランドマークの画像のセット内の画像は、該ランドマークを含むようにアルゴリズム的に決定される、第１のモジュールと、
該プロセッサが、該タグを付けられたランドマークの画像のセットからの該ランドマークに対して出現モデルを記憶することを可能にするように構成される第２のモジュールと、
該プロセッサが、該出現モデルを用いて新しい画像において該ランドマークを検出することを可能にするように構成される第３のモジュールと
を含む、コンピュータプログラム製品。
（項目２１）
前記コンピュータプログラム製品は、
該プロセッサが、前記ランドマークを説明する前記タグを用いて前記新しい画像に注釈を付けることを可能にするように構成される第４のモジュールをさらに含む、項目２０に記載のコンピュータプログラム製品。
（項目２２）
前記第１のモジュールは、
前記複数のテキストに関連付けられたデジタル画像からランドマークｎ−グラムのリストを生成することと、
ｎ−グラムセットの各ランドマークｎ−グラムに対してｎ−グラム点数を計算することであって、該ｎ−グラムセットは、該ランドマークｎ−グラムのリストのサブセットである、ことと、
前記画像に対して前記ランドマークを説明する前記タグを割り当てることであって、該ランドマークを説明する該タグは、該ｎ−グラムセットにおける少なくとも１つのランドマークｎ−グラムに基づく、ことと
を行うようにさらに構成される、項目２０に記載のコンピュータプログラム製品。
（項目２３）
前記第１のモジュールは、
前記複数のテキストに関連付けられたデジタル画像に相関加重を割り当てることであって、該相関加重は、該複数のテキストに関連付けられたデジタル画像における画像のメタデータの相関に基づき、該複数のテキストに関連付けられたデジタル画像は、前記テキストに関連付けられた画像のセットを含む、ことと、
該複数のテキストに関連付けられたデジタル画像からマッチング画像グラフを生成することと、
ランドマークｎ−グラムと、該複数のテキストに関連付けられたデジタル画像の画像との間のリンクを生成するために、前記ランドマークｎ−グラムを該複数のテキストに関連付けられたデジタル画像の画像にリンクさせることと
を行うようにさらに構成される、項目２２に記載のコンピュータプログラム製品。